【手続補正書】
【提出日】平成17年11月11日(2005.11.11)
【手続補正１】
【補正対象書類名】明細書
【補正対象項目名】発明の名称
【補正方法】変更
【補正の内容】
【発明の名称】交換レンズ及びカメラシステム
【手続補正２】
【補正対象書類名】明細書
【補正対象項目名】特許請求の範囲
【補正方法】変更
【補正の内容】
【特許請求の範囲】
【請求項１】
第１のイメージサイズを有する第１のカメラボディと、第１のイメージサイズと異なる第２のイメージサイズを有する第２のカメラボディに共通して使用可能な交換レンズであって、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて、異なるシーケンスを実行する、ことを特徴とする交換レンズ。
【請求項２】
第１のイメージサイズを有する第１のカメラボディと、第１のイメージサイズと異なる第２のイメージサイズを有する第２のカメラボディに共通して使用可能な交換レンズであって、
当該交換レンズ内の撮影レンズの焦点距離を所定の焦点距離範囲内で可変させるためのズーム駆動手段と、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて上記ズーム駆動手段の上記焦点距離範囲を変更する、ことを特徴とする交換レンズ。
【請求項３】
第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、
上記第１および第２のカメラボディは、各々自己のカメラボディのイメージサイズに係る情報を装着された上記交換レンズに対して送信する送信手段を有し、
上記交換レンズは、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて、異なるシーケンスを実行する、ことを特徴とするカメラシステム。
【請求項４】
第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、
上記第１および第２のカメラボディは、各々自己のカメラボディのイメージサイズに係る情報を装着された上記交換レンズに対して送信する送信手段を有し、
上記交換レンズは、
当該交換レンズ内の撮影レンズの焦点距離を所定の焦点距離範囲内で可変させるためのズーム駆動手段と、
当該交換レンズが装着されたカメラボディからこのカメラボディのイメージサイズに係る情報を受信するための受信手段と、
当該交換レンズ内部のシーケンス制御を行う制御手段と、を有し、
上記制御手段は、上記受信手段で受信した上記イメージサイズに係る情報に応じて上記ズーム駆動手段の上記焦点距離範囲を変更する、ことを特徴とするカメラシステム。
【手続補正３】
【補正対象書類名】明細書
【補正対象項目名】０００１
【補正方法】変更
【補正の内容】
【０００１】
【発明の属する技術分野】
本発明は、少なくとも２種類以上のイメージサイズの異なるカメラボディと、当該カメラボディに共用可能な交換レンズに関する。
【手続補正４】
【補正対象書類名】明細書
【補正対象項目名】０００８
【補正方法】変更
【補正の内容】
【０００８】
【発明が解決しようとする課題】
しかしながら、イメージサイズの大きさをカメラボディ間で変えた場合、これらのイメージサイズの異なるカメラボディに対して共通で使用できる交換レンズにおいて画一的な制御シーケンスを実行した場合、この交換レンズを装着するカメラボディのイメージサイズに適したな撮影を行うことが難しくなる。例えば、前述したように、撮像素子のイメージサイズが小さいために、撮影画角が小さくなってしまう。即ち、広角レンズを装着した場合において、標準レンズに近い使用感となり、広角レンズの特徴を活かした撮影が難しくなるといった問題を生じる。
【手続補正５】
【補正対象書類名】明細書
【補正対象項目名】０００９
【補正方法】変更
【補正の内容】
【０００９】
本発明は、上記問題に鑑みてなされたもので、その目的とするところは、小さいイメージサイズのカメラボディに装着した場合であっても、大きなイメージサイズのカメラボディに装着した場合であっても、この交換レンズを装着するカメラボディのイメージサイズに適した撮影を行うことを可能にすることにある。例えばこの交換レンズを装着するカメラボディのイメージサイズに応じて、交換レンズの焦点距離可変範囲を変えることにより、このカメラボディに適した撮影を可能にすることにある。
【手続補正６】
【補正対象書類名】明細書
【補正対象項目名】００１０
【補正方法】変更
【補正の内容】
【００１０】
【課題を解決するための手段】
上記目的を達成するために、本発明の第１の態様では、第１のイメージサイズを有する第１のカメラボディと、第１のイメージサイズと異なる第２のイメージサイズを有する第２のカメラボディに共通して使用可能な交換レンズであって、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて、異なるシーケンスを実行する、ことを特徴とする交換レンズが提供される。 
本発明の第２の態様では、第１のイメージサイズを有する第１のカメラボディと、第１のイメージサイズと異なる第２のイメージサイズを有する第２のカメラボディに共通して使用可能な交換レンズであって、当該交換レンズ内の撮影レンズの焦点距離を所定の焦点距離範囲内で可変させるためのズーム駆動手段と、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて上記ズーム駆動手段の上記焦点距離範囲を変更する、ことを特徴とする交換レンズが提供される。 
本発明の第３の態様では、第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、上記第１および第２のカメラボディは、各々自己のカメラボディのイメージサイズに係る情報を装着された上記交換レンズに対して送信する送信手段を有し、上記交換レンズは、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて、異なるシーケンスを実行する、ことを特徴とするカメラシステムが提供される。 
本発明の第４の態様では、第１のイメージサイズを有する第１のカメラボディと、第１のイメージサイズと異なる第２のイメージサイズを有する第２のカメラボディと、上記第１および第２のカメラボディに共通して使用可能な交換レンズとからなるカメラシステムにおいて、上記第１および第２のカメラボディは、各々自己のカメラボディのイメージサイズに係る情報を装着された上記交換レンズに対して送信する送信手段を有し、上記交換レンズは、当該交換レンズ内の撮影レンズの焦点距離を所定の焦点距離範囲内で可変させるためのズーム駆動手段と、当該交換レンズが装着されたカメラボディからこのカメラボディのイメージサイズに係る情報を受信するための受信手段と、当該交換レンズ内部のシーケンス制御を行う制御手段と、を有し、上記制御手段は、上記受信手段で受信した上記イメージサイズに係る情報に応じて上記ズーム駆動手段の上記焦点距離範囲を変更する、ことを特徴とするカメラシステムが提供される。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００８７
【補正方法】変更
【補正の内容】
【００８７】
【発明の効果】
以上詳述したように、本発明によれば、小さいイメージサイズのカメラボディに装着した場合であっても、大きなイメージサイズのカメラボディに装着した場合であっても、この交換レンズを装着するカメラボディのイメージサイズに適した撮影を行うことが可能になる。例えばこの交換レンズを装着するカメラボディのイメージサイズに応じて、交換レンズの焦点距離可変範囲を変えることにより、このカメラボディに適した撮影を可能にすることができる。